(57)【要約】【課題】本発明は、電話やメールの着信やカメラのシャッタ音が携帯電話機の使用者や第三者に対してより確実に認識させることができる携帯電話機を提供することを目的とする。【解決手段】本発明による携帯電話機は、電話やメールの着信音を出力するスピーカ８および／または電話やメールの着信を知らせるために振動を出力するバイブレータ６と、周囲音量を計測する雑音計測部１１と、周囲明度を計測する明度計測部１３と、記雑音計測部１１の計測結果および明度計測部１３の計測結果に応じて、スピーカ８から出力する音量またはバイブレータ６から出力する振動量を調整する全体制御部１６とを備えることを特徴とする。【選択図】図１
2008177635.tif 000002
【特許請求の範囲】
【請求項１】
電話やメールの着信音を出力する音出力部および／または電話やメールの着信振動を出力する振動出力部と、
周囲音量を計測する雑音計測部と、
周囲明度を計測する明度計測部と、
前記雑音計測部の計測結果および前記明度計測部の計測結果に応じて、前記音出力部から出力する音量または前記振動出力部から出力する振動量を調整する制御部と、
を備える、携帯電話機。
【請求項２】
前記制御部は、着信音および／または着信振動によって着信を知らせるように設定したとき、所定の閾値音量と前記周囲音量との比較および所定の閾値明度と前記周囲明度との比較の結果より、前記周囲音量が前記閾値音量よりも大きいか、前記周囲明度が前記閾値明度よりも低い場合に、設定した音量より大きい着信音および／または設定した振動量より大きい着信振動を出力することを特徴とする、請求項１に記載の携帯電話機。
【請求項３】
前記制御部は、着信音のみによって着信を知らせるように設定したとき、設定した音量より大きい着信音を付加して設定した振動量の振動を付加することを特徴とする、請求項２に記載の携帯電話機。
【請求項４】
前記制御部は、振動のみによって着信を知らせるように設定したとき、設定した振動より大きい振動量を付加して設定した音量の着信音を付加することを特徴とする、請求項２に記載の携帯電話機。
【請求項５】
前記制御部は、マナーモードに設定したとき、所定の閾値音量と前記周囲音量との比較および所定の閾値明度と前記周囲明度との比較の結果より、前記周囲音量が前記閾値音量よりも大きいか、前記周囲明度が前記閾値明度よりも低い場合に、設定した振動量より大きい着信振動を出力することを特徴とする、請求項１に記載の携帯電話機。
【請求項６】
前記制御部は、前記音出力部から出力する着信音の音量や前記振動出力部から出力する着信振動の振動量を時間の経過とともに徐々に大きくしていくことを特徴とする、請求項１に記載の携帯電話機。
【請求項７】
カメラと、
前記カメラのシャッタ音を出力する音出力部と、
周囲の音量を計測する雑音計測部と、
周囲の明度を計測する明度計測部と、
前記雑音計測部の計測結果および前記明度計測部の計測結果に応じて、前記音声出力部から出力する前記シャッタ音の音量を調整する制御部と、
を備える、携帯電話機。
【請求項８】
前記制御部は、カメラで撮影するときに、所定の閾値音量と前記周囲音量との比較および所定の閾値明度と前記周囲明度との比較の結果より、前記周囲音量が前記閾値音量よりも大きいか、前記周囲明度が前記閾値明度よりも低い場合に、前記シャッタ音の音量を大きくして出力することを特徴とする、請求項７に記載の携帯電話機。
【発明の詳細な説明】
【技術分野】
【０００１】
本発明は携帯電話機に関し、特に、音量や振動量を自動的に調整する携帯電話機に関する。
【背景技術】
【０００２】
従来の携帯電話機では、電話やメールの着信を着信音や振動などによってユーザに知らせていた。また、カメラ付き携帯電話機では、撮影時の盗撮防止などのために被撮影者や第三者にシャッタを切ったことを知らせたり、撮影者自身にもシャッタを切ったことを実感させるために、シャッタボタンの押下などの操作に応じてシャッタ音を鳴らすようにしている。
【０００３】
例えば、従来の携帯電話機において、電話やメールの着信音やカメラによる撮影時のシャッタ音が周囲の雑音に消されてしまうのを防ぐために、周囲の雑音の大きさに応じて着信音やシャッタ音の音量を増減させることによって最適な大きさに調整している（例えば、特許文献１参照）。
【０００４】
また、他の従来の携帯電話機において、周囲の雑音が大きい時に電話を着信したとしても、ユーザが着信を認識できるように周囲の雑音の大きさに応じて着信音の音量を大きくしたり、着信音に振動を付加することで着信音と振動の両方を駆動させている（例えば、特許文献２参照）。
【０００５】
【特許文献１】特開２００５−２１０２８２号公報（第４頁第８段落、第３図）
【特許文献２】特開２０００−２１６８６２号公報（第２頁第８段落、第１図）
【発明の開示】
【発明が解決しようとする課題】
【０００６】
特許文献１の携帯電話機では、携帯電話機をポケットやカバンの中に携帯している場合に携帯電話機の周囲の音が小さくなることがあるため、周囲の音の大きさに応じて着信音やシャッタ音を調整しようとすると音量を小さくしてしまい、ユーザが着信を認識し難くなるという問題がある。さらに、このような場合においてカメラで撮影しようとするとシャッタ音が小さくなってシャッタ音の認識が難しくなるため、盗撮に用いられる危険性があり問題である。
【０００７】
また、特許文献２の携帯電話機では、周囲の音が大きい時には着信音と振動によってユーザに着信を認識させているが、携帯電話機をポケットやカバンの中に携帯している場合に携帯電話機の周囲の音が小さくなることがある。そのため、携帯電話機は周囲の音の大きさに応じて着信音を調整しようとするので、ユーザは着信を認識するのが難しくなるという問題がある。さらに、周囲の音が大きい場合に、着信時の設定を着信音のみや振動のみにしたとしても、強制的に着信音と振動の両方によって着信を認識させようとするため、マナーモードなどの振動のみによって着信を認識したいときであっても着信音が鳴ってしまうといった問題がある。
【０００８】
本発明は、これらの問題を解決するためになされたもので、電話やメールの着信やカメラのシャッタ音を携帯電話機の使用者や第三者に対してより確実に認識させることができる携帯電話機を提供することを目的とする。
【課題を解決するための手段】
【０００９】
上記の課題を解決するために、本発明による携帯電話機は、電話やメールの着信音を出力する音出力部および／または電話やメールの着信振動を出力する振動出力部と、周囲音量を計測する雑音計測部と、周囲明度を計測する明度計測部と、記雑音計測部の計測結果および明度計測部の計測結果に応じて、音出力部から出力する音量または振動出力部から出力する振動量を調整する制御部とを備えることを特徴とする。
【発明の効果】
【００１０】
本発明は、請求項１に記載のように、周囲音量を計測する雑音計測部と、周囲明度を計測する明度計測部と、記雑音計測部の計測結果および明度計測部の計測結果に応じて、音声出力部から出力する音量または振動出力部から出力する振動量を調整する制御部とを備えることを特徴とするため、電話やメールの着信やカメラのシャッタ音を携帯電話機の使用者や第三者に対してより確実に認識させることができるという効果がある。
【発明を実施するための最良の形態】
【００１１】
本発明の一実施形態について、図面に基づいて以下に説明する。
【００１２】
（構成）
図１は、本発明の実施形態による携帯電話機の構成図である。図１に示す携帯電話機１において、無線部３は、アンテナ２を介して無線信号を送受信する。記憶部４は電話帳やメールの履歴などを記憶しており、表示操作部５では各種機能の操作や電話番号およびメールなどの各種データを表示する。バイブレータ６は電話やメールなどの着信時にユーザに認識させるために振動し、振動の制御をバイブレータ制御部７で行なっている。スピーカ８は電話やメールの着信音、通話時の音声などを出力するために使用し、マイク１０は携帯電話機１の周囲の音の検出を行なったり、通話時に音声信号を送るために使用される。音声制御部９は音声信号を出力するスピーカ８を制御し、マイク１０から入力される音声信号を制御している。雑音計測部１１はマイク１０によって検出された携帯電話機１の周囲の音の音量を計測する。光センサ１２は携帯電話機１の周囲の明度の検出を行い、検出した明度を明度計測部１３で計測する。カメラ１４は被写体を撮影するために使用し、撮影した画像を画像処理部１５で処理する。全体制御部１６は無線部３、記憶部４、表示操作部５、バイブレータ制御部７、音声制御部９、雑音計測部１１、明度計測部１３、画像処理部１５の各々と信号接続されており、各部の制御を行なう。
【００１３】
（動作その１）
図２は、本発明の実施形態による携帯電話機において、着信設定が着信音のみの場合における処理についてのフローチャートである。なお、この処理の全体は、全体制御部１６により司られる。
【００１４】
ステップＳ１００で処理がスタートし、ステップＳ１０１において着信時の設定が着信音のみとなっているかどうかの判定を行なう。そして、設定が着信音のみである場合にステップＳ１０２に移行する。
【００１５】
ステップＳ１０２では、携帯電話機１が電話またはメールを着信したのかどうかを判定する。電話またはメールのいずれかを着信している場合はステップＳ１０３に移行する。
【００１６】
ステップＳ１０３において、携帯電話機１の周囲の音量（周囲音量）をマイク１０で検出し、検出した音量を雑音計測部１１によって計測する。また、携帯電話機１の周囲の明度（周囲明度）を光センサ１２で検出し、検出した明度を明度計測部１３によって計測する。
【００１７】
ステップＳ１０４では、ステップＳ１０３で雑音計測部１１によって計測した周囲音量が、ユーザが設定した音量の閾値（閾値音量）よりも小さいかどうかの判定を行なう。周囲音量が閾値音量よりも小さければステップＳ１０５に移行し、周囲音量が閾値音量よりも大きければステップＳ１０８に移行する。
【００１８】
ステップＳ１０５では、ステップＳ１０３で明度計測部１３によって計測した周囲明度がユーザが設定した明度の閾値（閾値明度）よりも明るいかどうかの判定を行なう。周囲明度が閾値明度よりも明るければステップＳ１０６に移行し、周囲明度が閾値明度よりも暗ければステップＳ１０８に移行する。
【００１９】
ステップＳ１０６において、着信音の音量をユーザが設定した音量のままに設定してステップＳ１０７に移行し、ステップＳ１０７では、設定した音量の着信音をスピーカ８から出力する。
【００２０】
一方、ステップＳ１０８において、着信音の音量をユーザが設定した音量よりも大きく設定し、さらにユーザが設定した着信振動の振動量よりも大きい振動量が付加的に設定されてステップＳ１０９に移行する。そして、ステップＳ１０９では、大きく設定した音量の着信音をスピーカ８から出力し、大きく設定した振動量の着信振動をバイブレータ６から出力する。
【００２１】
以上の処理によって、周囲音量が閾値音量よりも小さくて周囲明度が閾値明度よりも明るければ、ユーザが設定した着信音量のままスピーカ８から出力される。そして、周囲音量が閾値音量よりも大きいか、周囲明度が閾値明度よりも暗ければ、着信音がユーザが設定した音量よりも大きく設定されてスピーカ８から出力され、これに付加して着信振動もユーザが設定した振動量よりも大きく設定されてバイブレータ６から出力される。
【００２２】
なお、スピーカ８から出力される着信音量とバイブレータ６から出力される振動量は、時間の経過とともに徐々に大きくしていくことも可能である。
【００２３】
これらのことから、着信設定が着信音のみの場合において、携帯電話機１の周囲が工事現場やパチンコ店などの音量が大きい場所であっても、ユーザは電話やメールの着信をより確実に認識することができる。また、周囲の音が静かで明度が低いカバンやポケットの中などの暗い場所に携帯電話機１を携帯している場合であっても、ユーザは電話やメールの着信をより確実に認識することができる。なお、上記の機能はカメラの有無には依存しない。
【００２４】
（動作その２）
図３は、本発明の実施形態による携帯電話機において、着信設定が着信音および着信振動の場合における処理についてのフローチャートである。なお、この処理の全体は、全体制御部１６により司られる。
【００２５】
ステップＳ２００で処理がスタートし、ステップＳ２０１において着信時の設定が着信音および着信振動となっているかどうかの判定を行なう。そして、設定が着信音および着信振動となっている場合にステップＳ２０２に移行する。
【００２６】
ステップＳ２０２では、携帯電話機１が電話またはメールを着信したのかどうかを判定する。ここで、電話またはメールのいずれかを着信している場合はステップＳ２０３に移行する。
【００２７】
ステップＳ２０３において、携帯電話機１の周囲音量をマイク１０で検出し、検出した音量を雑音計測部１１によって計測する。また、携帯電話機１の周囲明度を光センサ１２で検出し、検出した明度を明度計測部１３によって計測する。
【００２８】
ステップＳ２０４では、ステップＳ２０３で雑音計測部１１によって計測した周囲音量がユーザが設定した閾値音量よりも小さいかどうかの判定を行なう。周囲音量が閾値音量よりも小さければステップＳ２０５に移行し、周囲音量が閾値音量よりも大きければステップＳ２０８に移行する。
【００２９】
ステップＳ２０５では、ステップＳ２０３で明度計測部１３によって計測した周囲明度がユーザが設定した閾値明度よりも明るいかどうかの判定を行なう。周囲明度が閾値明度よりも明るければステップＳ２０６に移行し、周囲明度が閾値明度よりも暗ければステップＳ２０８に移行する。
【００３０】
ステップＳ２０６において、着信音の音量をユーザが設定した音量のままに設定し、着信振動の振動量をユーザが設定した振動量のままに設定してステップＳ２０７に移行する。そして、ステップＳ２０７では、ステップＳ２０６で設定した音量の着信音をスピーカ８から出力し、設定した振動量の着信振動をバイブレータ６から出力する。
【００３１】
一方、ステップＳ２０８において、着信音の音量をユーザが設定した音量よりも大きく設定し、着信振動の振動量をユーザが設定した振動量よりも大きく設定してステップＳ２０７に移行する。そして、ステップＳ２０７では、ステップＳ２０８で設定した音量の着信音をスピーカ８から出力し、設定した振動量の着信振動をバイブレータ６から出力する。
【００３２】
以上の処理によって、周囲音量が閾値音量よりも小さくて周囲明度が閾値明度よりも明るければ、ユーザが設定した着信音量のままスピーカ８から出力され、ユーザが設定した着信振動量のままバイブレータ６から出力される。そして、周囲音量が閾値音量よりも大きいか、周囲明度が閾値明度よりも暗ければ、着信音がユーザが設定した音量よりも大きく設定されてスピーカ８から出力され、これに付加して着信振動もユーザが設定した振動量よりも大きく設定されてバイブレータ６から出力される。
【００３３】
なお、スピーカ８から出力される着信音量とバイブレータ６から出力される振動量は、時間の経過とともに徐々に大きくしていくことも可能である。
【００３４】
これらのことから、着信設定が着信音および着信振動の場合において、携帯電話機１の周囲が工事現場やパチンコ店などの音量が大きい場所であっても、ユーザは電話やメールの着信をより確実に認識することができる。また、周囲の音が静かで明度が低いカバンやポケットの中などの暗い場所に携帯電話機１を携帯している場合であっても、ユーザは電話やメールの着信をより確実に認識することができる。なお、上記の機能はカメラの有無には依存しない。
【００３５】
（動作その３）
図４は、本発明の実施形態による携帯電話機において、着信設定が着信振動のみの場合における処理についてのフローチャートである。なお、この処理の全体は、全体制御部１６により司られる。
【００３６】
ステップＳ３００で処理がスタートし、ステップＳ３０１において着信時の設定が着信振動のみとなっているかどうかの判定を行なう。そして、設定が着信振動のみとなっている場合にステップＳ３０２に移行する。
【００３７】
ステップＳ３０２では、携帯電話機１がマナーモードの設定となっているのかどうかの判定を行なう。そして、マナーモードの設定されている場合はステップＳ３０３に移行し、マナーモードに設定されていない場合はステップＳ３１０に移行する。以下、マナーモードに設定されている場合の処理についてステップＳ３０３〜ステップＳ３０８で説明し、マナーモードに設定されていない場合の処理についてステップＳ３１０〜ステップＳ３１５で説明する。
【００３８】
まず、携帯電話機１がマナーモードに設定されている場合の処理について説明する。
【００３９】
ステップＳ３０３では、携帯電話機１が電話またはメールを着信したのかどうかを判定する。そして、電話またはメールのいずれかを着信している場合はステップＳ３０４に移行する。
【００４０】
ステップＳ３０４において、携帯電話機１の周囲音量をマイク１０で検出し、検出した音量を雑音計測部１１によって計測する。また、携帯電話機１の周囲明度を光センサ１２で検出し、検出した明度を明度計測部１３によって計測する。
【００４１】
ステップＳ３０５では、ステップＳ３０４で雑音計測部１１によって計測した周囲音量がユーザが設定した閾値音量よりも小さいかどうかの判定を行なう。周囲音量が閾値音量よりも小さければステップＳ３０６に移行し、周囲音量が閾値音量よりも大きければステップＳ３０９に移行する。
【００４２】
ステップＳ３０６では、ステップＳ３０４で明度計測部１３によって計測した周囲明度がユーザが設定した閾値明度よりも明るいかどうかの判定を行なう。周囲明度が閾値明度よりも明るければステップＳ３０７に移行し、周囲明度が閾値明度よりも暗ければステップＳ３０９に移行する。
【００４３】
ステップＳ３０７において、着信振動の振動量をユーザが設定した振動量のままに設定してステップＳ３０８に移行する。そして、ステップＳ３０８では、ステップＳ３０７で設定した振動量の着信振動をバイブレータ６から出力する。
【００４４】
一方、ステップＳ３０９において、着信振動の振動量をユーザが設定した振動量よりも大きく設定してステップＳ３０８に移行する。そして、ステップＳ３０８では、ステップＳ３０９で設定した振動量の着信振動をバイブレータ６から出力する。
【００４５】
次に、携帯電話機１がマナーモードに設定されていない場合の処理について説明する。
【００４６】
ステップＳ３１０では、携帯電話機１が電話またはメールを着信したのかどうかを判定する。そして、電話またはメールのいずれかを着信している場合はステップＳ３１１に移行する。
【００４７】
ステップＳ３１１において、携帯電話機１の周囲音量をマイク１０で検出し、検出した音量を雑音計測部１１によって計測する。また、携帯電話機１の周囲明度を光センサ１２で検出し、検出した明度を明度計測部１３によって計測する。
【００４８】
ステップＳ３１２では、ステップＳ３１１で雑音計測部１１によって計測した周囲音量がユーザが設定した閾値音量よりも小さいかどうかの判定を行なう。周囲音量が閾値音量よりも小さければステップＳ３１３に移行し、周囲音量が閾値音量よりも大きければステップＳ３１４に移行する。
【００４９】
ステップＳ３１３では、ステップＳ３１１で明度計測部１３によって計測した周囲明度がユーザが設定した閾値明度よりも明るいかどうかの判定を行なう。周囲明度が閾値明度よりも明るければステップＳ３０７に移行し、周囲明度が閾値明度よりも暗ければステップＳ３１４に移行する。
【００５０】
ステップＳ３０７、ステップＳ３０８の処理については前述の通りであり、ユーザが設定した振動量の着信振動をバイブレータ６から出力する。
【００５１】
一方、ステップＳ３１４において、着信振動の振動量をユーザが設定した振動量よりも大きく設定し、さらにユーザが設定した着信音の音量よりも大きい音量が付加的に設定されてステップＳ３１５に移行する。そして、ステップＳ３１５では、大きく設定した振動量の着信振動をバイブレータ６から出力し、大きく設定した音量の着信音をスピーカ８から出力する。
【００５２】
以上の処理によって、マナーモードを設定した場合には、周囲音量が閾値音量よりも小さくて周囲明度が閾値明度よりも明るければ、ユーザが設定した着信振動のままバイブレータ６から出力される。そして、周囲音量が閾値音量よりも大きいか、周囲明度が閾値明度よりも暗ければ、着信振動がユーザが設定した振動量よりも大きく設定されてバイブレータ６から出力される。一方で、マナーモードを設定していない場合には、周囲音量が閾値音量よりも小さくて周囲明度が閾値明度よりも明るければ、ユーザが設定した着信振動のままバイブレータ６から出力される。そして、周囲温度が閾値音量よりも大きいか、周囲明度が閾値明度よりも暗ければ、着信振動がユーザが設定した振動量よりも大きく設定されてバイブレータ６から出力され、これに付加して着信音もユーザが設定した着信音量よりも大きく設定されてスピーカ８から出力される。
【００５３】
なお、スピーカ８から出力される着信音量とバイブレータ６から出力される振動量は、時間の経過とともに徐々に大きくしていくことも可能である。
【００５４】
これらのことから、着信設定が着信振動であってマナーモード設定の場合において、携帯電話機１の周囲が工事現場やパチンコ店などの音量が大きい場所や、周囲の音が静かで明度が低いカバンやポケットの中などの暗い場所に携帯電話機１を携帯していても、着信音が鳴らないというマナーモードの性質を保ちながら、ユーザは電話やメールの着信をより確実に認識することができる。
【００５５】
また、着信設定が着信振動であってマナーモード設定ではない場合において、携帯電話機１の周囲が工事現場やパチンコ店などの音量が大きい場所や、周囲の音が静かで明度が低いカバンやポケットの中などの暗い場所に携帯電話機１を携帯していたとしても、ユーザは電話やメールの着信をより確実に認識することができる。
【００５６】
なお、上記の機能はカメラの有無には依存しない。
【００５７】
（動作その４）
図５は、本発明の実施形態による携帯電話機において、カメラモードの設定時における処理についてのフローチャートである。なお、この処理の全体は、全体制御部１６により司られる。
【００５８】
ステップＳ４００で処理がスタートし、ステップＳ４０１において携帯電話機１の設定がカメラモードになっているかどうかの判定を行なう。そして、設定がカメラモードになっている場合にステップＳ４０２に移行する。
【００５９】
ステップＳ４０２において、携帯電話機１の周囲音量をマイク１０で検出し、検出した音量を雑音計測部１１によって計測する。また、携帯電話機１の周囲明度を光センサ１２で検出し、検出した明度を明度計測部１３によって計測する。
【００６０】
ステップＳ４０３では、ステップＳ４０２で雑音計測部１１によって計測した周囲音量がユーザが設定した閾値音量よりも小さいかどうかの判定を行なう。周囲音量が閾値音量よりも小さければステップＳ４０４に移行し、周囲音量が閾値音量よりも大きければステップＳ４０８に移行する。
【００６１】
ステップＳ４０４では、ステップＳ４０２で明度計測部１３によって計測した周囲明度がユーザが設定した閾値明度よりも明るいかどうかの判定を行なう。周囲明度が閾値明度よりも明るければステップＳ４０５に移行し、周囲明度が閾値明度よりも暗ければステップＳ４０８に移行する。
【００６２】
ステップＳ４０５において、シャッタ音の音量をユーザが設定した音量のままに設定してステップＳ４０６に移行する。ステップＳ４０６では、撮影ボタンの押下や自動撮影のタイマーの設定などによってシャッタが切られたのかどうかを判定する。そして、シャッタが切られた場合はステップＳ４０７に移行し、シャッタが切られていない場合はステップＳ４０２に移行する。また、ステップＳ４０７に移行した場合は、ステップＳ４０５で設定されたシャッタ音量でスピーカ８からシャッタ音が出力される。
【００６３】
一方、ステップＳ４０８において、シャッタ音の音量をユーザ設定した音量よりも大きく設定してステップＳ４０６に移行する。そして、ステップＳ４０６でシャッタが切られたかどうかの判定がなされ、シャッタが切られた場合には、ステップＳ４０７にてスピーカ８からシャッタ音が出力される。
【００６４】
以上の処理によって、周囲音量が閾値音量よりも小さくて周囲明度が閾値明度よりも明るければ、シャッタが切られたときにユーザが設定したシャッタ音量のままスピーカ８から出力される。そして、周囲音量が閾値音量よりも大きいか、周囲明度が閾値明度よりも暗ければ、シャッタが切られたときにシャッタ音量がユーザが設定した音量よりも大きく設定されてスピーカ８から出力される。
【００６５】
これらのことから、設定がカメラモードである場合において、携帯電話機１の周囲が多数の人や車が往来する街中などの音量が大きい場所であっても、カメラ撮影時にシャッタを切ったときに、ユーザやそれ以外の第三者に対してシャッタ音をより確実に認識させることができる。また、携帯電話機１の周囲を袋などで覆うといった、周囲の音が静かで明度が低い状況下でカメラ撮影をしようとしても、シャッタ音が大きくなって撮影者以外の第三者に対してシャッタ音をより確実に認識させることができるので、盗撮などの犯罪を未然に防ぐことができる。
【図面の簡単な説明】
【００６６】
【図１】本発明の実施形態による携帯電話機の構成図である。
【図２】本発明の実施形態による携帯電話機において、着信設定が着信音のみの場合における処理についてのフローチャートである。
【図３】本発明の実施形態による携帯電話機において、着信設定が着信音および着信振動の場合における処理についてのフローチャートである。
【図４】本発明の実施形態による携帯電話機において、着信設定が着信振動のみの場合における処理についてのフローチャートである。
【図５】本発明の実施形態による携帯電話機において、カメラモードの設定時における処理についてのフローチャートである。
【符号の説明】
【００６７】
１  携帯電話機、２  アンテナ、３  無線部、４  記憶部、５  表示操作部、６  バイブレータ、７  バイブレータ制御部、８  スピーカ、９  音声制御部、１０  マイク、１１  雑音計測部、１２  光センサ、１３  明度計測部、１４  カメラ、１５  画像処理部、１６  全体制御部。
【図１】
2008177635.tif 000003
【図２】
2008177635.tif 000004
【図３】
2008177635.tif 000005
【図４】
2008177635.tif 000006
【図５】
2008177635.tif 000007